(57)【要約】【課題】  屋根の手入れの負担軽減を図り、各瓦の不用意な意図ずれや移動を防止できるようにすること。【解決手段】  上下に隣り合う瓦１１，１１の間に固定具１８を設けて複数枚の瓦１１を下地材１２の上面に載置する。固定具１８は、上方の瓦１１１の下端部１１ｂに係合する第１の係合部２０と、下方の瓦１１の上端部１１ａに係合する第２の係合部２１と、第１の係合部２０の下端及び第２の係合部２１の上端を連結する連結部２２とを備えている。この瓦１１の載置に前後して又は載置中に、上下に隣り合う瓦１１，１１に各係合部２０，２１を契合して固定具１８の取り付けを行う。その後、第１の係合部２０を外部から隠蔽するように上下に隣り合う瓦１１，１１にコーキング材２４を塗布する。【選択図】      図２
2006257817.tif 000002
【特許請求の範囲】
【請求項１】
上下に隣り合う瓦の間に固定具を設けて複数枚の瓦を下地材上に並設する屋根の施工方法であって、
前記固定具は、当該固定具から上方に延びる瓦の下端部に係合する第１の係合部と、固定具から下方に延びる瓦の上端部に係合する第２の係合部とを備え、
前記瓦の下地材上への載置前、載置後又は載置中に、上下に隣り合う瓦に第１及び第２の係合部を係合して固定具の取り付けを行い、
その後、前記固定具の第１の係合部を外部から隠蔽するように前記上下に隣り合う瓦間にコーキング材を塗布することを特徴とする屋根の施工方法。
【発明の詳細な説明】
【技術分野】
【０００１】
本発明は、屋根の施工方法に係り、更に詳しくは、各瓦の不用意な位置ずれ等を回避することができる屋根の施工方法に関する。
【背景技術】
【０００２】
従来より、戸建て住宅や家屋等にあっては、瓦葺きの屋根が広く利用されるに至っている。このような屋根は、傾斜する下地材上に複数枚の瓦を上下及び左右方向に並べることにより形成される。ここで、各瓦の裏面上端側には、突起状若しくは突条状をなす突出部が形成され、この突出部が下地材上に設けられた横桟に引っ掛けられることにより各瓦が保持されるようになっている。
【発明の開示】
【発明が解決しようとする課題】
【０００３】
しかしながら、前記各瓦にあっては、その自重と前記引っ掛けとにより固定されるので、風雨や雪等の気候の影響によって、意図することなく位置ずれが生じてしまう場合がある。これにより、瓦同士の間に隙間が生じて雨漏りが発生し、ひいては、下地材等の腐食の原因となるという不都合を招来する。ここで、定期的に屋根の手入れを行うことで前記位置ずれを回避することも考えられるが、この場合、瓦を補修するために熟練した技術と多大な手間が必要になるという不都合がある。
【０００４】
［発明の目的］
本発明は、このような不都合に着目して案出されたものであり、その目的は、屋根の手入れの負担軽減を図ることができ、各瓦が意図することなく移動したりずれたりすることを防止することができる屋根の施工方法を提供することにある。
【課題を解決するための手段】
【０００５】
前記目的を達成するため、本発明は、上下に隣り合う瓦の間に固定具を設けて複数枚の瓦を下地材上に並設する屋根の施工方法であって、
前記固定具は、当該固定具から上方に延びる瓦の下端部に係合する第１の係合部と、固定具から下方に延びる瓦の上端部に係合する第２の係合部とを備え、
前記瓦の下地材上への載置前、載置後又は載置中に、上下に隣り合う瓦に第１及び第２の係合部を係合して固定具の取り付けを行い、
その後、前記固定具の第１の係合部を外部から隠蔽するように前記上下に隣り合う瓦間にコーキング材を塗布する、という方法が採用されている。
【発明の効果】
【０００６】
本発明によれば、上下に並ぶ瓦が固定具により連結されるため、各瓦の一体化を通じて当該瓦の位置ずれを抑制することができる。しかも、固定具をコーキング材により隠蔽しつつ瓦に固定できるので、固定具の位置規制もしっかりと行われ、瓦の不用意な位置ずれをより良く防止することが可能となる。この結果、瓦間に隙間が生じて雨漏りすることを回避できるばかりでなく、屋根の手入れに要する手間を省略できるという効果を得る。
【発明を実施するための最良の形態】
【０００７】
以下、本発明の好ましい実施の形態について図面を参照しながら説明する。
【０００８】
図１には、実施形態に係る屋根の部分概略斜視図が示されている。また、図２（Ａ）には、その部分拡大縦端面図が示され、図２（Ｂ）には、前記屋根に用いられる固定具の概略斜視図が示されている。これらの図において、屋根１０は、上下方向（棟及び軒先間方向）及び左右方向（棟の延出方向）に沿って並設された複数枚の瓦１１と、傾斜する方向に向けられて各瓦１１が載置される下地材１２と、この下地材１２の上面に取り付けられるとともに、図２（Ａ）中紙面直交方向に延びる複数本の横桟１３とを備えて構成されている。
【０００９】
各瓦１１は、裏面における上下両端部１１ａ，１１ｂ側に突条状若しくは突起状をなす上部突出部１５及び下部突出部１６を備えている。上部突出部１５は、前記横桟１３の上部側に引っ掛けられ、これにより、瓦１１の下方への移動が規制されることとなる。上下に隣り合う瓦１１，１１は、部分的に重なり合うように配置され、それらの間には側面視クランク状の固定具１８が跨るように設けられている。
【００１０】
前記固定具１８は、特に限定されるものでないが、本実施形態では、ステンレス鋼等の金属からなる板材を用いて構成されている。固定具１８は、当該固定具１８から上方に向かって延びる瓦１１（以下、「上方の瓦」と称する）の下端部１１ｂに係合する第１の係合部２０と、固定具１８から下方に向かって延びる瓦１１（以下、「下方の瓦」と称する）の上端部１１ａに係合する第２の係合部２１と、下方の瓦１１の上面に載置されるとともに、第１の係合部２０の下端及び第２の係合部２１の上端を連結する連結部２２とを備えている。第１の係合部２０は、その上端が上方の瓦１１の上面からはみ出さない高さに設けられている。ここで、各瓦１１の下端部１１ｂ側には、コーキング材２４が塗布されている。
【００１１】
前記コーキング材２４は、瓦１１に対して柔軟な追従性を発揮して接着可能なシリコン系シーリング剤等からなる。コーキング材２４は、上方の瓦１１の下端部１１ｂと、下方の瓦１１の上面側とに接する断面視略三角形状に設けられている。また、コーキング材２４の延出長さ（図２（Ａ）中紙面直交方向長さ）は、前記第１の係合部２０より大きく形成され、これにより、第１の係合部２０がコーキング材２４により外部から隠蔽されるようになっている。
【００１２】
次に、前記屋根１０の施工方法について説明する。
【００１３】
先ず、下地材１２の上面に横桟１３を所定間隔毎に取り付け、必要に応じて下地材１２上に防水シート（図示省略）等を敷設する。次いで、瓦１１の上部突出部１５を横桟１３に引っ掛けるとともに、瓦１１の下部突出部１６を下方に位置する瓦１１の上面に乗せて各瓦１１を下地材１２上に載置する。この瓦１１の載置前、載置中又は載置後に、上下に隣り合う瓦１１，１１間に固定具１８の取り付けを行う。
つまり、瓦１１の載置前に固定具１８を取り付ける場合、下方の瓦１１の上端部１１ａに第２の係合部２１を係合するとともに、下方の瓦１１の上面に連結部２２を載せた後、当該瓦１１を下地材１２上に載置する。その後、第１の係合部２０に上方の瓦１１の下端部１１ｂを係合させながら下地材１２上に載置する。
また、瓦１１の載置中に固定具１８を取り付ける場合、下地材１２上に下方の瓦１１を載置した後、下方の瓦１１の上端部１１ａに第２の係合部２１を係合するとともに、下方の瓦１１の上面に連結部２２を載せる。その後、第１の係合部２０に上方の瓦１１の下端部１１ｂを係合させながら下地材１２上に載置する。
一方、瓦１１の載置後に固定具１８を取り付ける場合、下地材１２上に載置された上下に隣り合う瓦１１の間に固定具１８を差し込むように配置し、上方の瓦１１の下端部１１ｂに第１の係合部２０を係合し、下方の瓦１１の上端部１１ａに第２の係合部２１を係合する。
固定具１８の取り付けを終了した後、第１の係合部２０を外部から隠蔽するようにコーキング材２４を塗布する。これにより、上方の瓦１１の下端部１１ｂに対して第１の係合部２０が固定されるとともに、コーキング材２４を介して上下に隣り合う瓦１１が接着固定される。
【００１４】
従って、このような実施形態によれば、各瓦１１の上側では上部突出部１５が横桟１３に引っ掛けられ、且つ、各瓦１１の下側では固定具１８を介して固定されるので、各瓦１１の位置を安定的に保つことができる。しかも、固定具１８及びコーキング材２４により上下に並ぶ複数枚の瓦１１が一体化され、これによっても、瓦１１の安定した位置規制に寄与することが可能となる。更に、コーキング材２４及び瓦１１によって固定具１８全体が隠蔽されるので、固定具１８の腐食等を防止することができる。
【００１５】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００１６】
例えば、前記瓦１１や固定具１８の形状は、図示構成例に限られるものでなく、上下に隣り合う瓦１１，１１間に固定具１８を取り付け可能な限りにおいて種々の設計変更が可能である。
【図面の簡単な説明】
【００１７】
【図１】実施形態に係る屋根の部分概略斜視図。
【図２】（Ａ）は、図１の部分拡大縦端面図、（Ｂ）は、前記屋根に用いられる固定具の概略斜視図。
【符号の説明】
【００１８】
１０  屋根
１１  瓦
１１ａ  上端部
１１ｂ  下端部
１８  固定具
２０  第１の係合部
２１  第２の係合部
２４  コーキング材
【図１】
2006257817.tif 000003
【図２】
2006257817.tif 000004